(57)【特許請求の範囲】
【請求項１】
近接して並列に配置された二本の電線のうち、一方の電線に掛止可能な二つ以上の第一掛止部であって、固定の対象となる電線の延びる方向と対応する軸線方向に間隔をあけて配置された二つ以上の第一掛止部と、前記軸線方向で隣り合う二つの第一掛止部間に連続して形成された一つ以上の第二掛止部であって、他方の電線に掛止可能な一つ以上の第二掛止部と、一方の電線に掛止される最も端にある前記第一掛止部、又は他方の電線に掛止される最も端にある前記第二掛止部に連続して形成された螺旋状の固定部であって、一方の電線に巻回可能に形成された螺旋状の固定部とを備え、前記二つ以上の第一掛止部のうち、一方の電線に掛止される一つ目の前記第一掛止部は、一方の電線の外径よりも小さい内径を有し、且つ端部が前記軸線方向に折り曲げられて形成される係止部であって、一方の電線の外周面に係止する係止部を有することを特徴とする電線バインド。
【請求項２】
前記第二掛止部は、前記軸線方向に対して直交方向に巻回される巻回部を含むことを特徴とする請求項１に記載の電線バインド。
【発明の詳細な説明】
【技術分野】
【０００１】
本発明は、接続箇所で近接して並列に配置された二本の電線を相互に固定する電線バインドに関する。
【背景技術】
【０００２】
従来より、配電線を径間途中で分岐する接続箇所において、近接して並列に配置された二本の電線を相互に固定するために、バインド線が使用される。該バインド線は、塑性変形可能で、二本の電線に沿って巻き付けられる。
【０００３】
具体的には、まず、図６（ａ）に示す如く、バインド線１００の両端部が垂れ下がるように、バインド線１００の中央部を逆Ｕ字形状に折り曲げる。つぎに、二本の電線Ｃ，Ｃのうちの一方の電線Ｃの外周面に、折り曲げられたバインド線１００の凹部を当接させる。この状態で、一方の作業者が間接活線工具（絶縁ヤットコ）で垂れ下がったバインド線１００の一端部を把持した上で、他方の作業者がバインド打ち器を使用して、図６（ｂ）に示す如く、バインド線１００を一端から他端に向かって順次螺旋状に巻き付けていく（特許文献１参照）。
【先行技術文献】
【特許文献】
【０００４】
【特許文献１】実開平４−５５７１３号公報
【発明の概要】
【発明が解決しようとする課題】
【０００５】
ところで、前記バインド線１００を二本の電線Ｃ，Ｃに対して螺旋状に巻回する場合、垂れ下がったバインド線１００の一端部を把持する一方の作業者と、バインド打ち器を使用してバインド線１００を巻き付けていく他方の作業者とが必要になる。また、バインド線１００を一端から他端に向かって順次螺旋状に巻き付けていくため、労力と時間を要する。したがって、バインド線１００によって二本の電線を固定するには作業性が悪い、という問題がある。
【０００６】
そこで、本発明は、上記問題に鑑み、近接して並列に配置された二本の電線に対し効率よく巻き付けできて作業性を向上できる電線バインドを提供することを目的とする。
【課題を解決するための手段】
【０００７】
本発明に係る電線バインドは、近接して並列に配置された二本の電線のうち、一方の電線に掛止可能な二つ以上の第一掛止部であって、固定の対象となる電線の延びる方向と対応する軸線方向に間隔をあけて配置された二つ以上の第一掛止部と、前記軸線方向で隣り合う二つの第一掛止部間に連続して形成された一つ以上の第二掛止部であって、他方の電線に掛止可能な一つ以上の第二掛止部と、一方の電線に掛止される最も端にある前記第一掛止部、又は他方の電線に掛止される最も端にある前記第二掛止部に連続して形成された螺旋状の固定部であって、一方の電線に巻回可能に形成された螺旋状の固定部とを備え、前記二つ以上の第一掛止部のうち、一方の電線に掛止される一つ目の前記第一掛止部は、一方の電線の外径よりも小さい内径を有し、且つ端部が前記軸線方向に折り曲げられて形成される係止部であって、一方の電線の外周面に係止する係止部を有することを特徴とする。
【０００８】
かかる構成によれば、第一掛止部が一方の電線に掛止可能であるため、一つ目の第一掛止部を引っ掛けた状態（支持点）にして二つの電線に巻回し始めることができる。具体的には、第一掛止部を一方の電線に引っ掛けた状態で、第二掛止部を他方の電線に引っ掛けた後、続けて二つ目の第一掛止部を一方の電線に引っ掛け、その後、一方の電線に螺旋状の固定部を巻き付けることができるようになり、全体を通して巻きやすい。また、二本の電線に対して、第一掛止部、第二掛止部、第一掛止部の少なくとも３点で支持することができる。さらに、一方の電線に螺旋状の固定部を巻き付けることで、一方の電線の垂れ下がりを許容しつつ一方の電線に対する固定力をあげることができる。
【００１０】
また、かかる構成によれば、一つ目の第一掛止部は電線の外径よりも小さい内径を有しているため、一方の電線に第一掛止部を掛止する際に、第一掛止部の内径が電線の外周面によって押し広げられつつ第一掛止部内に電線が嵌め入れられる。このため、電線の外周面に第一掛止部の内面が圧接し、電線に対してバインドを強固に固定できる。
【００１１】
さらに、一方の電線に掛止される一つ目の前記第一掛止部は、端部が前記軸線方向に折り曲げられて形成される係止部であって、一方の電線の外周面に係止する係止部を有するため、一方の電線に掛止される一つ目の前記第一掛止部が、一方の電線に対して位置固定される。したがって、巻回する際にバインドが固定側に向かって引っ張られたとしても、一方の電線に掛止される一つ目の前記第一掛止部の位置が動くことがなく、一方の電線に掛止される一つ目の前記第一掛止部を支持点にして効率よく巻回し始めることができる。
【００１２】
本発明に係る電線バインドの他態様として、前記第二掛止部は、前記軸線方向に対して直交方向に巻回される巻回部を含むことが好ましい。
【００１３】
かかる構成によれば、第二掛止部が電線の軸線方向に対して直交方向に巻回される巻回部を含むことで、第一掛止部間の距離が小さくなり、二本の電線に対して巻回しやすく、二本の電線を拘束しやすく強固に固定できる。
【発明の効果】
【００１４】
以上のように、本発明によれば、近接して並列に配置された二本の電線に対し効率よく巻き付けできて作業性を向上することができる。
【図面の簡単な説明】
【００１５】
【図１】図１は、本発明の一実施形態に係る電線バインドを、配電線を径間途中で分岐する構造に適用した状態を示した図である。
【図２】図２は、同実施形態に係る電線バインドを、近接して並列に配置された同一径の二本の電線に実装した状態を示す図である。
【図３】図３は、図２の縦断面図である。
【図４】図４は、同実施形態に係る電線バインドを、近接して並列に配置された異なる径の二本の電線に実装した状態を示す図である。
【図５】図５は、図４の縦断面図である。
【図６】図６（ａ）は、塑性変形可能なバインド線を逆Ｕ字形状に折り曲げた図、図６（ｂ）は、近接して並列に配置された二本の電線にバインド線を巻き付けて固定した状態を示す図である。
【発明を実施するための形態】
【００１６】
本発明の一実施形態に係る電線バインドについて図面を参照しながら説明する。なお、本実施形態においては、配電線を径間途中で分岐する構造に適用される電線固定具について説明する。
【００１７】
まず、本実施形態を説明するに先立って、前記分岐構造について説明する。該分岐構造は、図１に示す如く、電柱間に架設された電線Ｃ１と、該電線Ｃ１から分岐された電線Ｃ２であって、ピン碍子Ｂ及び引留クランプＫによって引き留められた電線Ｃ２とを有する。前記分岐箇所で近接して並列に配置された二本の電線Ｃ１，Ｃ２は、同一径である場合を例にとって説明する。
【００１８】
本実施形態に係る電線バインドは、図２及び図３に示す如く、近接して並列に配置された二本の電線Ｃ１，Ｃ２のうち、一方の電線Ｃ１に掛止可能な二つ以上の第一掛止部１ａであって、固定の対象となる電線Ｃ１の延びる方向と対応する軸線方向に間隔をあけて配置された二つ以上の第一掛止部１ａと、前記軸線方向で隣り合う二つの第一掛止部１ａ，１ａ間に連続して形成された一つ以上の第二掛止部１ｂであって、他方の電線Ｃ２に掛止可能な一つ以上の第二掛止部１ｂと、一方の電線Ｃ１に掛止される最も端にある前記第一掛止部１ａ、又は他方の電線Ｃ２に掛止される最も端にある前記第二掛止部１ｂに連続して形成された螺旋状の固定部１ｃであって、一方の電線Ｃ１に巻回可能に形成された螺旋状の固定部１ｃとを備える。
【００１９】
第一掛止部１ａは、本実施形態においては、固定の対象となる電線Ｃ１の延びる方向と対応する軸線方向に間隔をあけて、例えば三つ配置される。
【００２０】
二つ以上の第一掛止部１ａのうち、一方の電線Ｃ１に掛止される一つ目の第一掛止部１ａは、一方の電線Ｃ１の外径よりも小さい内径を有し、且つ端部が前記軸線方向に折り曲げられて形成される係止部１０ａであって、一方の電線Ｃ１の外周面に係止する係止部１０ａを有する。
【００２１】
第二掛止部１ｂは、本実施形態においては、前記軸線方向で隣り合う二つの第一掛止部１ａ，１ａ間に連続して、例えば二つ形成される。具体的には、第二掛止部１ｂは、前記軸線方向に対して斜めに交差する方向に巻回される第一巻回部１０ｂと、前記軸線方向に対して直交方向に巻回される第二巻回部１１ｂとを含む。
【００２２】
固定部１ｃは、本実施形態においては、例えば、一方の電線Ｃ１に掛止される最も端にある第一掛止部１ａに螺旋状に連続して形成される。
【００２３】
つぎに本実施形態に係る電線バインドの使用態様について説明する。まず、複数の第一掛止部１ａのうち、一方の電線Ｃ１に掛止される一つ目の第一掛止部１ａの内面を一方の電線Ｃ１の外周面に当接する。
【００２４】
このとき、一方の電線Ｃ１に掛止される一つ目の第一掛止部１ａは、一方の電線Ｃ１の外径よりも小さい内径を有しているため、第一掛止部１ａの内径が一方の電線Ｃ１の外周面によって押し広げられつつ、第一掛止部１ａ内に一方の電線Ｃ１が嵌め入れられる。
【００２５】
そして、嵌め入れられた一方の電線Ｃ１の外周面に、一つ目の第一掛止部１ａの内面が圧接することにより、一方の電線Ｃ１の外周面に一つ目の第一掛止部１ａが掛止する。
【００２６】
さらに、一方の電線Ｃ１に掛止される一つ目の第一掛止部１ａの係止部１０ａが一方の電線Ｃ１の外周面に係止する。その結果、一方の電線Ｃ１に対して電線バインド１の一端部を強固に固定できる。したがって、第一掛止部１ａを支持点にして効率よく巻回し始めることができる。すなわち、一つ目の第一掛止部１ａを支持点にして全体（第二掛止部１ｂ及び固定部１ｃを含む）を通して巻きやすい。
【００２７】
つぎに、一方の電線Ｃ１に掛止された一つ目の第一掛止部１ａが固定された状態で、一つ目の第二掛止部１ｂが連続して引っ掛けられる。具体的には、一方の電線Ｃ１に掛止された一つ目の第一掛止部１ａの係止部１０ａとは反対側の端部から、前記軸線方向に対して斜めに交差する方向に一つ目の第一巻回部１０ｂが連続して巻回された後、一つ目の第二掛止部１ｂが他方の電線Ｃ２に掛止される。
【００２８】
つぎに、一つ目の第二掛止部１ｂの端部から、前記軸線方向に対して直交方向に一つ目の第二巻回部１１ｂが連続して巻回され、その後、二つ目の第一掛止部１ａが一方の電線Ｃ１に掛止される。したがって、二本の電線Ｃ１，Ｃ２は、第一掛止部１ａ、第二掛止部１ｂ、第一掛止部１ａの少なくとも３点で支持される。
【００２９】
この第二掛止部１ｂの第二巻回部１１ｂは、一方の電線Ｃ１の軸線方向に対して直交方向に巻回されるため、隣り合う第一掛止部１ａ，１ａ間の距離が短くなり、二本の電線Ｃ１，Ｃ２に対して巻回しやすく、二本の電線Ｃ１，Ｃ２を拘束しやすく強固に固定できる。
【００３０】
つぎに、二つ目の第一掛止部１ａの端部から、前記軸線方向に対して斜めに交差する方向に第一巻回部１０ｂが連続して巻回された後、二つ目の第二掛止部１ｂが他方の電線Ｃ２に掛止される。
【００３１】
つぎに、二つ目の第二掛止部１ｂの端部から、前記軸線方向に対して直交方向に二つ目の第二巻回部１１ｂが連続して巻回された後、最も端にある第一掛止部１ａが一方の電線Ｃ１に掛止される。
【００３２】
その後、最も端にある第一掛止部１ａの端部から、螺旋状の固定部１ｃが一方の電線Ｃ１に巻き付けられる。
【００３３】
この固定部１ｃは、一方の電線Ｃ１に掛止される最も端にある前記第一掛止部１ａに螺旋状に連続して形成されているため、一方の電線Ｃ１の垂れ下がりを許容しつつ、一方の電線に対する固定力をあげることできる。その結果、一方の電線Ｃ１を直線状に支持することができる。
【００３４】
そして、二つの電線Ｃ１，Ｃ２には、図２及び図３に示す如く、第一掛止部１ａ、第一巻回部１０ｂ、第二掛止部１ｂ、第二巻回部１１ｂが螺旋状に且つ楕円状に巻き付けられて、二つの電線Ｃ１，Ｃ２が拘束される。
【００３５】
このように、本実施形態に係る電線バインドによれば、近接して並列に配置された二本の電線に対し効率よく巻き付けできて作業性を向上することができる。
【００３６】
なお、本発明は、前記実施形態に限定されるものではなく、本発明の要旨を逸脱しない範囲で種々変更を加え得ることは勿論のことである。
【００３７】
例えば、前記実施形態の場合、径間途中で分岐する場合を例にとって説明したが、ポリマースペーサによる途中の分岐箇所、ラインスペーサによる径間途中で分岐される分岐箇所にも適用することができる。
【００３８】
また、前記実施形態の場合、同一径の電線を固定する場合を例にとって説明したが、図４及び図５に示す如く、例えば、高圧線からの低圧線の引込構造において、異なる径の二本の電線を固定する場合も適用できる。
【００３９】
また、前記実施形態の場合、第一掛止部１ａを三つ、第二掛止部１ｂを二つとしたが、巻回数は限定されるものではなく、第一掛止部１ａは二つ以上で、第二掛止部１ｂは一つ以上であればよい。
【００４０】
また、前記実施形態の場合、一方の電線Ｃ１に掛止される最も端にある第一掛止部１ａに固定部１ｃを形成したが、他方の電線Ｃ２に掛止される最も端にある第二掛止部１ｂに固定部１ｃを形成してもよい。
【符号の説明】
【００４１】
１…電線バインド、１ａ…第一掛止部、１０ａ…係止部、１ｂ…第二掛止部、１０ｂ…第一巻回部、１１ｂ…第二巻回部、１ｃ…固定部、Ｃ１，Ｃ２…電線
【図１】
0006440028.tif 000002
【図２】
0006440028.tif 000003
【図３】
0006440028.tif 000004
【図４】
0006440028.tif 000005
【図５】
0006440028.tif 000006
【図６】
0006440028.tif 000007